(57)【要約】【課題】マスクを着用したままでも、一定時間継続する通常の食事に対応可能なマスクを提供する。【解決手段】マスク１００は、本体部１と、本体部１を着用者の顔面に保持する一対のストラップ２と、本体部１の一部として着用者の口周辺に対応する領域に設けられ、着用者の顎の上下動に追従して開閉可能な開口部３３を有する開閉部３と、を備えることを特徴とする。開閉部３は、着用者の上唇に沿って延在する第１フレーム３１と、着用者の顎に沿って延在する第２フレーム３２と、第２フレーム３２に取り付けられた顎当て部３５と、第１フレーム３１と第２フレーム３２のそれぞれの両端を接続し、互いの上下動を逆に連動させる一対のリンク片３６と、一対のリンク片３６を回動可能に支持する一対のリンク片支持部４２と、を備える。【選択図】図１
0003228472.tif 000002
【実用新案登録請求の範囲】
【請求項１】
本体部と、
前記本体部を着用者の顔面に保持する一対のストラップと、
前記本体部の一部として前記着用者の口周辺に対応する領域に設けられ、前記着用者の顎の上下動に追従して開閉可能な開口部を有する開閉部と、を備える、
ことを特徴とするマスク。
【請求項２】
前記開閉部が、
前記着用者の上唇に沿って延在し、前記開口部の上方に位置する第１蓋部を上下させる第１フレームと、
前記着用者の顎に沿って延在し、前記開口部の下方に位置する第２蓋部を上下させる第２フレームと、
前記第２フレームに取り付けられ、前記第２フレームを前記着用者の顎の上下動に追従させる顎当て部と、
前記第１フレームと前記第２フレームのそれぞれの両端を接続し、互いの上下動を逆に連動させる一対のリンク片と、
前記一対のリンク片を回動可能に支持する一対のリンク片支持部と、を備える、
ことを特徴とする請求項１に記載のマスク。
【請求項３】
前記本体部の中央上部から左右端部に向かって延在する固定板を更に備え、
各リンク片支持部が前記固定板の前記左右端部に位置する、
ことを特徴とする請求項２に記載のマスク。
【請求項４】
前記固定板が、前記中央上部と前記左右端部の中間位置において、前記固定板とマスク生地との間に空間を形成するための一対の凸部を備える、
ことを特徴とする請求項３に記載のマスク。
【請求項５】
各リンク片支持部が各ストラップの前記本体部の内部に位置するストラップ取付部に設けられている、
ことを特徴とする請求項２に記載のマスク。
【請求項６】
前記着用者の顎の上下動に追従して前記開口部が開放されないように、前記リンク片の回動を防止するストッパを更に備える、
ことを特徴とする請求項２から５のいずれか１項に記載のマスク。
【請求項７】
前記着用者の顎の上下動に追従して前記開口部が開放されないように、前記開口部を閉鎖する止着部を更に備える、
ことを特徴とする請求項１から６のいずれか１項に記載のマスク。
【考案の詳細な説明】
【技術分野】
【０００１】
本考案は、マスクに関する。
【背景技術】
【０００２】
昨今、コロナ禍を受け、国を挙げて、「新しい生活様式」の実践例が推奨されている。例えば、一人ひとりの基本的感染対策として、「身体的距離の確保（いわゆる、ソーシャルディスタンス）、マスクの着用、手洗い」を励行し、日常生活を営む上での基本的生活様式としては、「密集、密接、密閉の３密の回避」や咳エチケットなどの徹底が求められている。この中で、マスクの着用は、重要な位置を占めており、特に人が集まるような場所においては、夏場においても、熱中症に十分に注意しながらマスクを着用することが求められている。
【０００３】
ここで、マスクを着用している場合の問題点の一つとして、飲食時における取り扱いがある。通常、飲食時には、例えば、マスクを外す、マスク全体を顎の下に下げる、一方のストラップ（耳掛け部）を外して他方のストラップで耳にマスクを掛けたままとする、などの取り扱いがされる。しかし、外した場合には外したマスクの飲食中の保管をどうするか、マスク全体を顎の下に無造作に下げた場合にはマスクの表裏の区別が付かなくなる状態をどうするか、片方の耳に掛けた場合には飲食の邪魔になったり見かけが悪くなったりする状態をどうするか、といったそれぞれの課題を抱えている。
【０００４】
このような点に着目し、マスクに開口部を設けて、マスクを着用したまま飲食を可能とするマスクが開示されている（特許文献１参照）。特許文献１のマスクでは、開放状態の開口をマスク本体の表側から開閉可能に覆う蓋片を備えておき、飲食したくなったときには、蓋片を開いて開口の覆いを外し、開口を通じて飲食を行うこととされている。しかしながら、特許文献１では、少し物を飲食するための（例えばストローや小さな食べ物（例えばあめ玉、ガム、ビスケット、クラッカー等々）を通すための）開口とすれば足り、大きな開口とする必要は無いとされており、また、一旦開いた蓋片がフリーな状態であるので、一定時間継続する通常の食事には対応が困難であるという課題があった。
【先行技術文献】
【特許文献】
【０００５】
【特許文献１】特開２０１７−２４３０号公報
【考案の概要】
【考案が解決しようとする課題】
【０００６】
本考案は、上記のような事情に鑑みなされたものであり、マスクを着用したままでも、一定時間継続する通常の食事に対応可能なマスクを提供することを目的とする。
【課題を解決するための手段】
【０００７】
本考案は、上記目的を達成するために、以下の構成によって把握される。
（１）本考案に係る第１の観点は、マスクであって、本体部と、前記本体部を着用者の顔面に保持する一対のストラップと、前記本体部の一部として前記着用者の口周辺に対応する領域に設けられ、前記着用者の顎の上下動に追従して開閉可能な開口部を有する開閉部と、を備える。
【０００８】
（２）上記（１）において、前記開閉部が、前記着用者の上唇に沿って延在し、前記開口部の上方に位置する第１蓋部を上下させる第１フレームと、前記着用者の顎に沿って延在し、前記開口部の下方に位置する第２蓋部を上下させる第２フレームと、前記第２フレームに取り付けられ、前記第２フレームを前記着用者の顎の上下動に追従させる顎当て部と、前記第１フレームと前記第２フレームのそれぞれの両端を接続し、互いの上下動を逆に連動させる一対のリンク片と、前記一対のリンク片を回動可能に支持する一対のリンク片支持部と、を備える。
【０００９】
（３）上記（２）において、前記本体部の中央上部から左右端部に向かって延在する固定板を更に備え、各リンク片支持部が前記固定板の前記左右端部に位置する。
【００１０】
（４）上記（３）において、前記固定板が、前記中央上部と前記左右端部の中間位置において、前記固定板とマスク生地との間に空間を形成するための一対の凸部を備える。
【００１１】
（５）上記（２）において、各リンク片支持部が各ストラップの前記本体部の内部に位置するストラップ取付部に設けられている。
【００１２】
（６）上記（２）から（５）のいずれか１つにおいて、前記着用者の顎の上下動に追従して前記開口部が開放されないように、前記リンク片の回動を防止するストッパを更に備える。
【００１３】
（７）上記（１）から（５）のいずれか１つにおいて、前記着用者の顎の上下動に追従して前記開口部が開放されないように、前記開口部を閉鎖する止着部を更に備える。
【考案の効果】
【００１４】
本考案によれば、マスクを着用したままでも、一定時間継続する通常の食事に対応可能なマスクを提供することができる。
【図面の簡単な説明】
【００１５】
【図１】本考案の第１実施形態に係るマスクを説明する正面図（その１）である。
【図２】本考案の第１実施形態に係るマスクを説明する正面図（その２）である。
【図３】本考案の第１実施形態に係るマスクを説明する側面図である。
【図４】本考案の第１実施形態に係るマスクを説明する正面図（その３）である。
【図５】本考案の第１実施形態に係るマスクの開閉部について説明する正面図である。
【図６】本考案の第１実施形態に係るマスクの開閉部におけるストッパの一例について説明する図である。
【図７】本考案の第１実施形態に係るマスクの開閉部におけるストッパの他の一例について説明する図である。
【図８】本考案の第１実施形態に係るマスクの開閉部におけるストッパの他の一例について説明する図である。
【図９】本考案の第１実施形態に係るマスクの一つの変形例について説明する図である。
【図１０】本考案の第１実施形態に係るマスクの他の変形例について説明する図である。
【図１１】本考案の第２実施形態に係るマスクを説明する正面図である。
【図１２】本考案の第２実施形態に係るマスクの一つの変形例を説明する正面図である。
【考案を実施するための形態】
【００１６】
（実施形態）
以下、本考案の実施形態として、第１実施形態に係るマスク１００及び第２実施形態に係るマスク１０１について、図面を参照して説明する。以下の説明において、マスク１００，１０１の正面側を前方（表側）、マスク１００，１０１の背面側を後方（裏側）、マスク１００，１０１から見て右側を右方、マスク１００，１０１から見て左側を左方という。また、以下の説明では、左右に一対存在する部材には同一の符号を付して説明している。また、実施形態を構成する部材及び部位は、本体部１の内部に生地片を用いて縫い留めて配置されているが、読み取りやすさを考慮し、各図を通じて、縫い留めの表示は省略するとともに、部材及び部位を実線表示としている（マスク１００，１０１に覆われる着用者の鼻と口は破線表示）。縫い留めの態様は、例えば、既知のマスクにおけるノーズフィットを縫い留める態様（マスク生地にポケット状の空間を作ってノーズフィットを挿入）を適用することができる。
【００１７】
（第１実施形態）
まず、図１から図４を参照して、第１実施形態に係るマスク１００について、その全体概要を説明する。マスク１００は、本体部１と、本体部１を着用者の顔面に保持する一対のストラップ２と、本体部１の一部として着用者の口周辺に対応する領域に設けられ、着用者の顎の上下動に追従して開閉可能な開口部３３を有する開閉部３と、を備える。
【００１８】
本体部１は、着用者の口及び鼻を覆う部材であり、既知の各種のマスクのものを採用することができる。ここでは、横方向に矩形状の形状を有し、横方向のプリーツ構造を備えていない態様のもので説明する。本体部１の左右端部には、ストラップ２のストラップ取付部２１が織り込まれており、ストラップ２を着用者の耳又は頭部や後頚部に掛けて本体部１を着用者の顔面に保持する。なお、ストラップ２は、本体部１と一体的に形成されたものでもよい。
【００１９】
開閉部３は、本体部１の一部として着用者の口周辺に対応する領域に設けられており、第１フレーム３１と、第２フレーム３２と、顎当て部３５と、一対のリンク片３６と、一対のリンク片支持部４２と、を備える。
【００２０】
第１フレーム３１と第２フレーム３２は、開閉部３の骨格の主要部を形成する。第１フレーム３１は、着用者の上唇に沿って延在し、開口部３３の上方に位置する第１蓋部３４ａを上下させ、第２フレーム３２は、着用者の顎に沿って延在し、開口部３３の下方に位置する第２蓋部３４ｂを上下させる。第２フレーム３２は、絞り留３８を介してマスク１００の外部に垂下するようにしておくことが好ましい。絞り留３８の上下位置を変更することによって、マスク１００の内部の第２フレーム３２の緊張度を調節することにより、着用者の顎に開閉部３をフィットさせることができる。
【００２１】
顎当て部３５は、第２フレーム３２に取り付けられており、着用時に第２フレーム３２ひいては第２蓋部３４ｂを着用者の顎の上下動に追従させる。一対のリンク片３６は、一対のリンク片支持部４２に回動可能に支持されている。一対のリンク片３６の内側取付部には第１フレーム３１の両端が、一対のリンク片３６の外側取付部には第２フレーム３２の両端がそれぞれ接続されている。リンク片３６は、リンク片支持部４２に支持されている点を軸として回動可能であり、第１フレーム３１と第２フレーム３２の互いの上下動を逆に連動させる。
【００２２】
リンク片支持部４２は、本体部１の適切な位置に設けることができるが、第１実施形態に係るマスク１００では、本体部１の中央上部から左右端部に向かって延在する固定板４を更に備えることにより、各リンク片支持部４２を固定板４の左右端部に位置するように設けている。この固定板４は、着用者の鼻にマスク１００をフィットさせるノーズフィット部４１と、リンク片３６を支持するリンク片支持部４２を１つの部材で構成するものである。固定板４は、マスク生地に縫い留めされるが、リンク片支持部４２の周辺には、リンク片３６等が動作できるように空間が確保される。
【００２３】
マスク１００は、これらを基本的な要素として、開閉部３を着用者の顎の上下動に追従させて開口部３３を開閉させる。この開閉の構成及び機構の詳細は後述するが、図１は、着用者が口を閉じている、すなわち、顎を上げた状態を示しており、マスク１００の開口部３３は閉鎖されている。この閉鎖状態では、開口部３３において、第１蓋部３４ａの下辺（実線表示）が第２蓋部３４ｂの上辺（破線表示）を覆っている。
【００２４】
一方、図２は、着用者が口を開けている、すなわち、顎を下げた状態を示しており、マスク１００の開口部３３は開放されている。この開放状態では、顎の下方動作によって、第２蓋部３４ｂの上辺（実線表示）が下がるとともに、第１蓋部３４ａの下辺（実線表示）がリンク３６を介して上がることとなる。
【００２５】
より詳しくは、着用者が顎を下げると、顎当て部３５を介して第２フレーム３２が下がり、連れて、第２蓋部３４ｂの上辺（実線表示）が下がる。併せて、第２フレーム３２が下がると、リンク片支持部４２に回動可能に支持されているリンク片３６との外側取付部が下方に向かって回動することにより、リンク片３６の第１フレーム３１の内側取付部が上方に向かって回動し、第１フレーム３１が上がり、連れて、第１蓋部３４ａの下片（実線表示）が上がる。これら開閉部３に係る具体的な構成及び動作については、図５を用いて後述する。
【００２６】
図３は、開閉部３（開口部３３）の開閉を側面から示したものであり、図３（ａ）は図１に対応して開口部３３が閉鎖された状態を、図３（ｂ）は図２に対応して開口部３３が開放された状態を、それぞれ示している。開閉部３（開口部３３）は、着用者の顎の上下動に追従して図３（ａ）と図３（ｂ）の状態を繰り返す。
【００２７】
マスク１００は、このように着用者が口を閉じている状態では開口部３３は閉鎖されているが、多少の口の開閉でも、第１蓋部３４ａと第２蓋部３４ｂの動きがマスク生地のフレキシブルさに吸収され、開口部３３が開放されることは少ない。しかし、大きく口を開けたり大声を出したり、また、咳やくしゃみ、あくびをしたりした場合には、開口部３３が瞬間的に開放されてしまい、飛沫が周囲の人に向かって飛び出す可能性がある。そこで、非飲食時などには口が開いても着用者の顎の上下動に追従して開口部３３が開放されないように、リンク片３６の回動を防止するストッパ３７を更に備えることが好ましい。
【００２８】
既に説明した図１及び図２には、リンク片支持部４２にストッパ３７を備えている場合が示されており、図１ではストッパ３７が掛けられている場合を、図２ではストッパ３７が外された場合を示している。ストッパ３７については、図６を用いてあらためて後述するが、その概要を説明すると、ストッパ３７もリンク片支持部４２においてリンク片３６の近傍に回動可能に設けられている。図１に示すように、ストッパ３７がリンク片３６の外側に係合する状態では、第２フレーム３２が下がった場合でもリンク片３６の回動が防止され、図４に示すように、着用者が口を開いても、マスク１００の開口部３３は開放されない。これに対し、飲食時などには、図２に示すように、ストッパ３７を人為的に回避させておき、第２フレーム３２が下がったときにリンク片３６が回動するようにする。
【００２９】
さて、図５を用いて、開閉部３に係る具体的な構成及び動作について、説明する。図５では、開閉部３の骨格として、主に、第１フレーム３１と、第２フレーム３２と、顎当て部３５と、一対のリンク片３６を描出している。リンク片３６は軸部３６１を中心として回動可能であり、内側取付部３６２には第１フレーム３１の両端が、外側取付部３６３には第２フレーム３２の両端がそれぞれ接続されている。
【００３０】
第１フレーム３１及び第２フレーム３２の構成としては、マスク生地への縫い留めや上記したような動作を行い易くするため、次のような構成が好ましい。例えば、第１フレーム３１は、マスク生地へ縫い留められる筒部３１１と、筒部３１１の中に延在してリンク片３６の内側取付部３６２に接続される芯材３１２を備える。筒部３１１は軽くてフレキシブルな素材で形成されており、芯材３１２はゴムなどの弾性体で形成されていることが好ましい。芯材３１２を弾性体とすることによりリンク片３６の内側取付部３６２が内側に引張され、着用者が口を閉じたときにリンク片３６を元の位置に戻す、すなわち、開口部３３を閉鎖するのに好適である。
【００３１】
第２フレーム３２は、マスク生地へ縫い留められる筒部３２１と、筒部３２１の中に延在する芯材３２２と、芯材３２２をリンク片３６の外側取付部３６３に係止するスプリング３２３を備える。筒部３２１は、筒部３１１と同様に軽くてフレキシブルな素材で形成されていることが好ましい。芯材３２２は顎当て部３５を顎にフィットさせ顎の上下動を伝達し易くするため繊維状のヒモで形成されていることが好ましい。スプリング３２３は、引張コイルスプリングを用いることができ、期待される開口部３３の開口の程度や開口に要する力などを考慮して適切な仕様のものとする。
【００３２】
着用者は、マスク１００を着用した際、まず、第２フレーム３２の下方に垂下している露出部３２４の長さを絞り留３８によって調節し、顎当て部３５を顎にフィットさせる。そして、顎を下げる動作をして口が開かれると、顎当て部３５ひいては第２フレーム３２（芯材３２２）が下方に下がり、スプリング３２３が引張する。これにより、リンク片３６は、軸部３６１を中心として外側取付部３６３が下がるように回動し、反射的に、内側取付部３６２が上がるように回動する。そして、第１フレーム３１（芯材３１１２）が引張される。このようにして、リンク片３６は、リンク片支持部４２に支持されている点（軸部３６１）を中心として回動し、第１フレーム３１と第２フレーム３２の互いの上下動を逆に連動させる。
【００３３】
次に、図６を用いて、ストッパ３７に係る構成の一例について、説明する。図６（ａ）は、リンク片３６とストッパ３７の係止状態の正面図を、図６（ｂ）は、リンク片３６を係止するストッパ３７を外す態様の側面図を示している。なお、図６（ａ）は、一対のリンク片３６のうち右側のリンク片３６を表しており、左側のリンク片３６についても左右対称の構成となる。
【００３４】
ストッパ３７の構成は種々のものが考えられるが、ここでは、ストッパ３７において、その軸部３７１とは反対側すなわちリンク片３６側の端部に溝部３７３を設け、この溝部３７３にリンク片３６を係止する態様を示している。そして、ストッパ３７の表側の溝部３７３の近傍に押部３７２を設けておく。この押部３７２は、マスク生地の表側から指で触れたときにその突起を感触で分かる程度のものである。
【００３５】
図６（ｂ）の右図に示すように、両者の係止状態を外す際には、マスク生地の表側から指で押部３７２を裏側に押し込み、リンク片３６をストッパ３７の溝部３７３から解放する。図６（ｂ）では図示していないが、リンク片３６及びストッパ３７の裏側（図中左側）にはリンク片支持部４２が位置しており、リンク片支持部４２はストッパ３７の押部３７２を押し込んだ際に撓んだ状態となる。この状態で、リンク片３６の外側取付部３６３に接続されている第２フレーム３２が引き下げられれば、リンク片３６は反時計回りに回動（図６（ａ）の軸部３６１の矢印参照。図６（ｂ）の右図では、軸部３６１は矢印のとおり手前側に向かって回動）することができる。一方、先に説明した図２のように、リンク片３６を解放したストッパ３７は水平方向まで反時計回りに回動（図６（ａ）の軸部３７１の矢印参照。図６（ｂ）の右図では、軸部３７１は矢印のとおり手前側に向かって回動）されており、このようにして、ストッパ３７が完全にリンク片３６の回動の軌道から回避するようにしてもよい。
【００３６】
飲食などを終えてストッパ３７を掛けるときには、着用者が口を閉じた状態、すなわち、リンク片３６が水平に戻った状態で、押部３７２を手探りにストッパ３７を元の位置に戻す。ここで、リンク片３６やストッパ３７は、硬質ながらもフレキシブルな材質（ノーズフィットに用いられるプラスチックなど）で形成しておくことにより、通常の使用において、溝部３７３の壁部が破損したり不可逆的に変形したりしてしまうことなく、両者の係止及び解放は可能である。
【００３７】
上記では回動可能なストッパ３７について説明したが、非回動の態様とすることも可能である。例えば、一例として、図７（ａ）は、リンク片３６とストッパ３７Ａの係止状態の正面図を、図７（ｂ）は、リンク片３６を係止するストッパ３７Ａを外す態様の側面図を示している。ストッパ３７Ａは、リンク片支持部４２の下方からリンク片３６に向かって拡開しながら延在する台座３７４と、台座３７４の上面に設けられた溝部３７３を有している。
【００３８】
図７（ｂ）の右図に示すように、両者の係止状態を外す際には、マスク生地の表側（図中右側）から指で台座３７４の頂部を裏側に押し込み、リンク片３６をストッパ３７Ａの溝部３７３から解放する。リンク片支持部４２は、ストッパ３７Ａの台座３７４を押し込んだ際に撓んだ状態となる。この状態で、リンク片３６の外側取付部３６３に接続されている第２フレーム３２が引き下げられれば、リンク片３６は反時計回りに回動（図７（ａ）の軸部３６１の矢印参照。図７（ｂ）の右図では、軸部３６１は矢印のとおり手前側に向かって回動）することができる。
【００３９】
また、別の一例として、図８（ａ）は、リンク片３６とストッパ３７Ｂの係止状態の正面図を、図８（ｂ）は、リンク片３６を係止するストッパ３７Ｂを外す態様の側面図を示している。ストッパ３７Ｂは、リンク片支持部４２の下方においてマスク生地の表側（図中右側）に向かって伸縮可能なボタン３７５と、ボタン３７５の側面に設けられた蛇腹３７６を有している。なお、ストッパ３７Ｂは、側面を蛇腹３７６とする弾性体によってボタン３７５を形成することができるほか、スプリングを内包した硬質の押しボタンによって形成してもよい。
【００４０】
図８（ｂ）の右図に示すように、両者の係止状態を外す際には、マスク生地の表側（図中右側）から指でボタン３７５の頂部を裏側に押し込み、リンク片３６をストッパ３７Ｂから解放する。リンク片支持部４２はストッパ３７Ｂのボタン３７５を押し込んだ際に撓んだ状態となる。この状態で、リンク片３６の外側取付部３６３に接続されている第２フレーム３２が引き下げられれば、リンク片３６は反時計回りに回動（図８（ａ）の軸部３６１の矢印参照。図８（ｂ）の右図では、軸部３６１は矢印のとおり手前側に向かって回動）することができる。
【００４１】
なお、ストッパ３７Ａ及びストッパ３７Ｂは、リンク片３６から外された後も同じ位置にあるため、開口部３３の開閉に伴ってリンク片３６が時計回りに回動した際に当たることもあるが、開口部３３の開閉に支障を来すことはない。
【００４２】
（第１実施形態の変形例）
次に、マスク１００の変形例について、説明する。まず、図９を用いて固定板４の変形例を説明する。図９（ａ）は、変形例の正面図を、図９（ｂ）は、本体部１（第１蓋部３４ａ）と固定板４の一部を抽出して説明する図である。
【００４３】
マスク１００では、固定板４が、中央上部（ノーズフィット部４１）から左右端部（リンク片支持部４２）まで延在する。そうすると、固定板４のマスク生地への縫い留めなどによって、本体部１と鼻から口にかけての皮膚との間の空間が狭くなり、本体部１の形状やマスク生地の材質によってはマスク１００の内側での呼吸が窮屈になる可能性もある。そこで、この変形例では、固定板４が、中央上部（ノーズフィット部４１）と左右端部（リンク片支持部４２）の中間位置において、一対の凸部４３を備えるようにしている。この凸部４３により、固定板４とマスク生地との間に空間を形成することができ、呼吸の窮屈さを軽減することできる。
【００４４】
次に、図１０を用いて開口部３３の変形例を説明する。図１０（ａ）は、変形例の正面図を、図１０（ｂ）は、第１蓋部３４ａと第２蓋部３４ｂの一部を抽出して説明する図である。
【００４５】
マスク１００では、第１フレーム３１と第２フレーム３２をリンク片３６の作用によって引き締めることによって、さらに、リンク片３６のストッパ３７の作用によってリンク片３６の回動を阻止することによって、非飲食時などに開口部３３が開口されないようにしている。しかし、コロナ禍でのマスク１００の効用を考えた場合、第１フレーム３１又は第２フレーム３２の弛みや、ストッパ３７の意図しない不意な解除などに備え、さらなる措置が求められることがあり得る。そこで、この変形例では、着用者の顎の上下動に追従して開口部３３が開放されないように、開口部３３を閉鎖する止着部５を更に備えるようにしている。止着部５としては、例えば、第１蓋部３４ａの下辺の裏側と第２蓋部３４ｂの上辺の表側に面ファスナを設けるようにすればよい。
【００４６】
（第２実施形態）
次に、図１１を参照して、第２実施形態に係るマスク１０１について、説明する。マスク１０１は、リンク片３６を支持するリンク片支持部３７がノーズフィット部を含む固定板４とは別個に設けられている点で、マスク１００と異なる。
【００４７】
マスク１０１は、本体部１と、本体部１を着用者の顔面に保持する一対のストラップ２と、本体部１の一部として着用者の口周辺に対応する領域に設けられ、着用者の顎の上下動に追従して開閉可能な開口部３３を有する開閉部３とを備える点、また、開閉部３は、本体部１の一部として着用者の口周辺に対応する領域に設けられており、第１フレーム３１と、第２フレーム３２と、顎当て部３５と、一対のリンク片３６と、一対のリンク片支持部４２とを備える点については、マスク１００と共通であるので、これらの点については、説明を省略する。さらに、マスク１０１は、第１実施形態で説明したストッパ３７、第１実施形態の変形例で説明した止着部５を追加的に設けてよい点もマスク１００と共通である。
【００４８】
第２実施形態に係るマスク１０１では、リンク片支持部４２は、ストラップ２の本体部の内部に位置する部分すなわちストラップ取付部２１に設けられている。すなわち、リンク片支持部４２はノーズフィット部４１とは分離されており、リンク片支持部４２の基部はストラップ取付部４２に縫い留めなどの手段により設けられる。リンク片支持部４２の全体は、マスク生地に縫い留めされるが、リンク片支持部４２の周辺には、リンク片３６等が動作できるように空間が確保される。リンク片支持部４２をノーズフィット部４１から分離させた理由は、着用者の顔立ちによってはマスク１００における固定板４が圧迫感を着用者に与える可能性があるためである。リンク片支持部４２とノーズフィット部４１が分離されているものの、図５に示した、開閉部３の骨格である、第１フレーム３１と、第２フレーム３２と、顎当て部３５と、一対のリンク片３６の構成及び動作は、マスク１００と同様である。
【００４９】
（第２実施形態の変形例）
次に、図１２を用いてマスク１０１の本体部１の形状についての変形例を説明する。図１２は変形例の正面図であり、ノーズフィット部４１近傍からストラップ取付部２１の上部にかけての本体部１の縁部、及び、顎当て部３８近傍からストラップ取付部２１の下部にかけての本体部１の縁部が、それぞれカットされている。ここでは、カッティングラインとして外側に向かって湾曲状に凸となる場合を図示しているが、外側に向かって湾曲状に凹となるようにカットしたり、あるいは直線的にカットしたりしてもよい。
【００５０】
第２実施形態に係るマスク１０１は、前述した第１実施形態に係るマスク１００と同様に、本体部１として既知の各種のマスクのものを採用することができるが、これまでは、本体部１が横方向に矩形状の形状を有している場合について述べてきた。これに対し、マスク１０１は開口部３３の開閉を繰り返すことから、場合によって、本体部１の形状に工夫を加えたほうが望ましい場合がある。例えば、着用者が女性である場合、お化粧をした状態でマスク１０１を着用することがあり得るが、その場合、特に頬骨に接する部分や下顎骨角部（エラ）に接する部分が擦れてお化粧が乱れる又は肌が荒れるという可能性が生じる。本変形例は、このような事態に備えて、本体部１の四隅をカットしたものである。
【００５１】
なお、マスク１０１のバリエーションとしては、着用者の顔立ちに応じて選択できるように、頬骨に対応する部分のみをカットしたり、下顎骨各部（エラ）に対応する部分のみをカットしたりしてもよい。また、本体部１の四隅をカットする態様は、第１実施形態に係るマスク１００についても、適用できることはもちろんである。
【００５２】
（実施形態の効果）
マスク１００，１０１は、本体部１と、本体部１を着用者の顔面に保持する一対のストラップ２と、本体部１の一部として着用者の口周辺に対応する領域に設けられ、着用者の顎の上下動に追従して開閉可能な開口部３３を有する開閉部３と、を備えることから、マスク１００，１０１を着用したままでも、一定時間継続する通常の食事に対応可能なマスク１００，１０１を提供することができる。
【００５３】
以上、実施形態を用いて本考案を説明したが、本考案の技術的範囲は上記実施形態に記載の範囲に限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００５４】
１００，１０１…マスク
１…本体部
２…ストラップ
２１…ストラップ取付部
３…開閉部
３１…第１フレーム
３２…第２フレーム
３２１…筒部
３２２…芯材
３２３…スプリング
３２４…露出部
３３…開口部
３４…蓋部（３４ａ…第１蓋部、３４ｂ…第２蓋部）
３５…顎当て部
３６…リンク片
３６１…軸部
３６２…内側取付部
３６３…外側取付部
３７…ストッパ
３７１…軸部
３７２…押部
３７３…溝部
３７４…台座
３７５…ボタン
３７６…蛇腹
３８…絞り留
４…固定板
４１…ノーズフィット部
４２…リンク片支持部
４３…凸部
５…止着部
【図１】
0003228472.tif 000003
【図２】
0003228472.tif 000004
【図３】
0003228472.tif 000005
【図４】
0003228472.tif 000006
【図５】
0003228472.tif 000007
【図６】
0003228472.tif 000008
【図７】
0003228472.tif 000009
【図８】
0003228472.tif 000010
【図９】
0003228472.tif 000011
【図１０】
0003228472.tif 000012
【図１１】
0003228472.tif 000013
【図１２】
0003228472.tif 000014